(57)【特許請求の範囲】
【請求項１】
振り竿と、前記振り竿に移動可能に装着された調速錘とを備えた振り子において、
前記調速錘には、前記振り竿を挿通するガイド部と、前記振り竿に圧接する弾性片とを設け、
前記振り竿には、所定の間隔で前記弾性片を係止する凹部を設け、
前記調速錘は、前記振り竿に対し前記弾性片が前記凹部に係止するところで位置決めされるものとし、
前記ガイド部は、前記振り竿の揺動方向に対する幅がそれぞれ異なる第１部位及び第２部位を備え、
前記第２部位における前記幅は、前記第１部位における前記幅よりも小さく設定し、
前記弾性片は、前記第１部位に前記振り竿を押え付けるものであり、
前記振り竿の揺動方向に対する前記調速錘のぶれは、前記第２部位にて規制されるようにしたことを特徴とする振り子。
【請求項２】
前記ガイド部に対する前記第２部位の占める割合は、３０パーセント以下であることを特徴とする請求項１記載の振り子。
【請求項３】
前記弾性片と第２部位との間隔は、前記ガイド部の長さの１／２以上であることを特徴とする請求項１又は２記載の振り子。
【発明の詳細な説明】
【技術分野】
【０００１】
本発明は、メトロノームに用いられる振り子に関する。
【背景技術】
【０００２】
一般に、メトロノームの振り子は、振り竿に調速錘を移動可能に設けて構成されている。振り子の揺動テンポは、調速錘の位置を変えることにより調節される。調速錘には、振り竿を挿通するガイド部と、振り竿に圧接する弾性片が設けられており、調速錘の位置は、弾性片が振り竿を押さえつけることにより維持されるようになっている。特許文献１及び２には、この種の振り子を用いてなるメトロノームが開示されている。
【特許文献１】特開平５−２３２２５４号公報
【特許文献２】特開２００２−２９６３７０号公報
【発明の開示】
【発明が解決しようとする課題】
【０００３】
さて、前述した振り子については、調速錘の移動が円滑になされること、振り竿に対する調速錘のガタツキが少ないこと、製造が容易であること等が重要な課題とされる。特に、調速錘のガタツキは、振り子の揺動テンポに悪影響を及ぼすものであり、これを抑えるためには、振り竿とガイド部とのクリアランスを可及的に小さくすることが望ましい。但し、調速錘の円滑な移動を確保するためには、振り竿及びガイド部の寸法精度を極めて厳密に管理する必要があり、振り子の製造現場においては、こうした寸法精度の管理を容易に且つバランスよく確保するための構成が望まれている。本発明は、かかる事情に鑑みてなされたものであり、その目的は、機能性及び製造性に優れた振り子を提供することである。
【課題を解決するための手段】
【０００４】
本願第１請求項に記載した発明は、振り竿と、前記振り竿に移動可能に装着された調速錘とを備えた振り子において、前記調速錘には、前記振り竿を挿通するガイド部と、前記振り竿に圧接する弾性片とを設け、前記振り竿には、所定の間隔で前記弾性片を係止する凹部を設け、前記調速錘は、前記振り竿に対し前記弾性片が前記凹部に係止するところで位置決めされるものとし、前記ガイド部は、前記振り竿の揺動方向に対する幅がそれぞれ異なる第１部位及び第２部位を備え、前記第２部位における前記幅は、前記第１部位における前記幅よりも小さく設定し、前記弾性片は、前記第１部位に前記振り竿を押え付けるものであり、前記振り竿の揺動方向に対する前記調速錘のぶれは、前記第２部位にて規制されるようにした構成の振り子である。
【０００５】
本願第２請求項に記載した発明は、請求項１において、前記ガイド部に対する前記第２部位の占める割合は、３０パーセント以下である構成の振り子である。
【０００６】
本願第３請求項に記載した発明は、請求項１又は２において、前記弾性片と第２部位との間隔は、前記ガイド部の長さの１／２以上である構成の振り子である。
【発明の効果】
【０００７】
本発明によれば、機能性及び製造性に優れた振り子を得ることができる。
【発明を実施するための最良の形態】
【０００８】
以下に、本発明の実施例を図面に基づいて説明する。図１及び図２に示す本例のメトロノーム１は、筐体２の内部に振り子装置１００、スピーカ３、電池４、制御回路基板５、及びスイッチ回路基板６を配置してなるものである。振り子装置１００は、筐体２の正面側に延出した振り子２００を備え、この振り子２００が左右に揺動する構成となっている。筺体２には、振り子２００を枢止する支軸２ａと、振り子２００の上端を係止する係止部２ｂが設けられている。振り子２００の上端は、振り子２００を僅かに撓ませて係止部２ｂに係止される。スピーカ３からは、振り子２００の動きに合わせて所定の音が発生する仕組みとなっている。振り子装置１００及びスピーカ３は、電池４を電源とし、制御回路基板５にて制御される。また、スイッチ回路基板６には、筺体２の外部に露呈された複数のスイッチ素子が設けられており、振り子装置１００及びスピーカ３の動作は、これらのスイッチ素子を操作することにより、任意に設定可能となっている。各スイッチ素子の機能は、特に限定はしないが、本例の場合、電源のＯＮ／ＯＦＦを切換えるスイッチ素子、スピーカ３の音調を調整するスイッチ素子、音量を調整するスイッチ素子等が設けられている。更に、筐体１００の正面側には、着脱自在の透明なカバー７が設けられており、振り子２００は、筺体２とカバー７との間に収納されている。メトロノーム１は、カバー７を取り外すとともに、振り子２００を係止部２ｂから外して使用される。
【０００９】
本例の振り子装置１００は、制御回路基板５に設けられた電磁石回路１１０にて振り子２００を操作するものである。振り子２００は、その本体たる振り竿２１０と、振り竿２１０に移動可能に装着された調速錘２２０と、振り竿２１０に固定された永久磁石２３０と、永久磁石２３０とともに固定された固定錘２４０とを備え、永久磁石２３０が電磁石に作用して揺動する構成となっている。支軸２ａを基準に、調速錘２２０は上部に設けられており、永久磁石２３０及び固定錘２４０は下部に設けられている。振り子２００の揺動テンポは、調速錘２２０の位置を変えることにより調節される。
【００１０】
次に、本例の振り子２００について説明する。図３乃至図５に示すように、本例の振り子２００は、振り竿２１０と、振り竿２１０に移動可能に装着された調速錘２２０とを備え、調速錘２２０には、振り竿２１０を挿通するガイド部２２１と、振り竿２１０に圧接する弾性片２２２とを設け、振り竿２１０には、所定の間隔で弾性片２２２を係止する凹部２１１を設けている。
【００１１】
振り竿２１０は、一定の幅に成形された細長いプレート状の金属製部材であり、支軸２ａを中心に、その幅方向に揺動される。振り竿２１０の要所には、凹部２１１、支軸２ａを装着する孔部２１２、及び永久磁石２３０や固定錘２４０を固定するための孔部２１３が設けられている。本例の振り竿２１０の幅は、３．５０ｍｍ前後であり、その加工誤差の許容範囲は、−０．０３〜＋０．０３ｍｍとしている。
【００１２】
調速錘２２０は、振り竿２１０と合致する凹状のガイド部２２１を切削加工してなる金属製部材である。弾性片２２２は、これを一体に成形したプレート体２２３を支持して設けられている。プレート体２２３は、ボルト又はリベット等の止着用部品２２４を用いてガイド部２２１を覆うように支持されている。振り竿２１０は、ガイド部２２１とプレート体２２３の間に挿通されている。調速錘２２０は、振り竿２１０に対し弾性片２２２が凹部２１１に係止するところで位置決めされる。調速錘２２０を移動する際は、弾性片２２２が凹部２１１に係止されることにより、クリック感覚が得られる。
【００１３】
本例のガイド部２２１は、振り竿２１０の揺動方向に対する幅がそれぞれ異なる第１部位２２１ａ及び第２部位２２１ｂを備えている。第２部位２２１ｂにおける幅Ｌ２は、第１部位２２１ａにおける幅Ｌ１よりも僅かに小さく設定している（図５参照）。弾性片２２２は、振り竿２１０に圧接して第１部位２２１ａに振り竿２１０を押え付けるものとなっており、振り竿２１０の揺動方向に対する調速錘２２０のぶれは、第２部位２２１ｂにて規制されるようになっている。すなわち、振り竿２１０と第２部位２２１ｂとのクリアランスは、振り竿２１０と第１部位２２１ａとのクリアランスよりも小さくなり、調整錘２２０は、第２部位２２１ｂに当接することにより、そのガタツキが防止されている。尚、弾性片２２２と第２部位２２１ｂとの間隔は、ガイド部の長さの１／２以上となっている。調速錘２２０の重心を安定的に支持するためである。
【００１４】
具体的には、振り竿２１０と第１部位２２１ａとのクリアランスは、加工誤差の許容範囲を踏まえると、０．０４〜０．１６ｍｍとなるように設定されている。これに対し、振り竿２１０と第２部位２２１ｂとのクリアランスは、振り竿２１０と第１部位２２１ａとのクリアランスよりも小さくなることを条件とし、且つ０．０１〜０．１０ｍｍとなるように設定されている。また、ガイド部２２１に対する第２部位２２１ｂの占める割合は、３０パーセント以下とした。ガイド部２２１の長さは、特に限定はしないが、１０．００〜２０．００ｍｍ程度である。これらの値は、現状の加工技術を考慮しつつより実用的な範囲を特定したものとなっている。
【００１５】
本例の場合、第１部位２２１ａにおける幅Ｌ１の加工誤差の許容範囲は、−０．０３〜＋０．０３ｍｍ程度である。また、第２部位２２１ｂにおける幅Ｌ２の加工誤差の許容範囲は、−０．００〜＋０．０３ｍｍ程度である。すなわち、ガイド部２２１の加工においては、幅Ｌ２の寸法精度を幅Ｌ１の寸法精度よりも厳密に管理するようにしている。仮に、振り竿２１０とのクリアランスをガイド部２２１全体に亘り第２部位２２１ｂと等しく設定すると、その加工難度が著しく高いものとなるが、本例によれば、第２部位２２１ｂを３０パーセント以下としたので、寸法精度の管理が確実に緩和される。
【００１６】
以上説明したように、本例の振り子は、その機能性及び製造性を向上するという点で顕著な効果を達成してなるものである。尚、本例における各部の構成は、特許請求の範囲に記載した技術的範囲において適宜に設計変更が可能であり、図例説明したものに限定されないことは勿論である。
【産業上の利用可能性】
【００１７】
本発明の振り子は、メトロノームの構成部材として好適に利用することが可能である。
【図面の簡単な説明】
【００１８】
【図１】本発明の実施例に係り、メトロノームを示す正面図である。
【図２】本発明の実施例に係り、図１のＡ−Ａ断面図であり、メトロノームを示す側面断面図である。
【図３】本発明の実施例に係り、（ａ）は振り子を示す正面図、（ｂ）は振り子を示す背面図である。
【図４】本発明の実施例に係り、（ａ）は調速錘を示す背面図、（ｂ）は（ａ）のＢ−Ｂ断面図、（ｃ）は（ａ）のＣ−Ｃ断面図である。
【図５】本発明の実施例に係り、（ａ）は調速錘のガイド部を示す説明図、（ｂ）は（ａ）のＤ部拡大図である。
【符号の説明】
【００１９】
１    メトロノーム
２    筺体
２ａ    支軸
２ｂ    係止部
３    スピーカ
４    電池
５    制御回路基板
６    スイッチ回路基板
７    カバー
１００    振り子装置
１１０    電磁石回路
２００    振り子
２１０    振り竿
２１１    凹部
２１２    孔部
２１３    孔部
２２０    調速錘
２２１    ガイド部
２２１ａ    第１部位
２２１ｂ    第２部位
２２２    弾性片
２２３    プレート体
２２４    止着用部品
２３０    永久磁石
２４０    固定錘
【図１】
0004793922.tif 000002
【図２】
0004793922.tif 000003
【図３】
0004793922.tif 000004
【図４】
0004793922.tif 000005
【図５】
0004793922.tif 000006